(57)【要約】【課題】レーザ光源の特徴である広い色域を損ねずに複数のレーザ光同士のコヒーレンスを低減した複数波長光源装置を提供すること。【解決手段】光源装置１１〜１３が、複数の発光素子２３ａ〜２３ｅと、発光素子２３ａ〜２３ｅそれぞれの射出光の波長を互いに異ならせる分散手段２２とを備え、光源装置１１〜１３における射出光のスペクトル線幅が、０．２ｎｍ以上であり、光源装置１１における射出光の波長が、６１２ｎｍより大きく、光源装置１２における射出光の波長が、５２５ｎｍより大きく５３８ｎｍ未満であり、光源装置１３における射出光の波長が、４６５ｎｍより大きく４６８ｎｍ未満である。【選択図】図１
2009122252.tif 000002
【特許請求の範囲】
【請求項１】
赤色光、緑色光及び青色光を射出する３つの光源装置を備える複数波長光源装置であって、
前記光源装置が、複数の発光素子と、該複数の発光素子それぞれの射出光の波長を互いに異ならせる分散手段とを備え、
前記光源装置における射出光のスペクトル線幅が、０．２ｎｍ以上であり、
赤色光を射出する前記光源装置における射出光の波長が、６１２ｎｍより大きく、
緑色光を射出する前記光源装置における射出光の波長が、５２５ｎｍより大きく５３８ｎｍ未満であり、
青色光を射出する前記光源装置における射出光の波長が、４６５ｎｍより大きく４６８ｎｍ未満であることを特徴とする複数波長光源装置。
【請求項２】
前記光源装置における射出光のスペクトル線幅が、０．５ｎｍ以上であることを特徴とする請求項１に記載の複数波長光源装置。
【請求項３】
前記光源装置における射出光のスペクトル線幅が、１．０ｎｍ以上であることを特徴とする請求項２に記載の複数波長光源装置。
【請求項４】
前記赤色光を射出する光源装置における射出光の波長が、６１２ｎｍより大きく６５８．５ｎｍ未満であることを特徴とする請求項１から３のいずれか１項に記載の複数波長光源装置。
【請求項５】
前記分散手段が、前記複数の発光素子それぞれの射出光が入射する複数の光入射領域を有し、当該射出光のうち所定の選択波長の光の一部を選択して前記複数の発光素子に向けて反射させると共に残りを透過させる波長選択素子を備え、
前記複数の光入射領域それぞれにおける前記選択波長が、互いに異なることを特徴とする請求項１から４のいずれか１項に記載の複数波長光源装置。
【請求項６】
前記分散手段が、前記複数の選択波長を互いに異ならせる状態変化手段を備えることを特徴とする請求項５に記載の複数波長光源装置。
【請求項７】
前記波長選択素子が、前記複数の光入射領域それぞれにおける膜厚が異なる波長選択膜を備えることを特徴とする請求項５に記載の複数波長光源装置。
【請求項８】
前記分散手段が、
前記複数の発光素子それぞれの射出光が入射する複数の光入射領域を有し、当該射出光の一部の波長を所定の変換波長に変換して残りと共に射出する波長変換素子と、
該波長変換素子から射出した光のうち前記変換波長の光の一部を選択して前記複数の発光素子に向けて反射させる共に残りを透過させる波長選択素子とを備え、
前記複数の光入射領域それぞれにおける前記変換波長が、互いに異なることを特徴とする請求項１から４のいずれか１項に記載の複数波長光源装置。
【請求項９】
前記波長変換素子が、前記複数の発光素子それぞれの射出光の光軸に沿って分極が互いに反転したドメインの繰り返し構造を有し、
前記複数の光入射領域それぞれにおいて前記ドメインの前記光軸方向の幅が、互いに異なることを特徴とする請求項８に記載の複数波長光源装置。
【請求項１０】
前記分散手段が、前記複数の変換波長を互いに異ならせる状態変化手段を備えることを特徴とする請求項８に記載の複数波長光源装置。
【請求項１１】
前記波長変換素子が、前記複数の発光素子それぞれの射出光の光軸に沿って分極が互いに反転したドメインの繰り返し構造を有し、
前記複数の光入射領域それぞれにおいて前記ドメインの前記光軸方向の幅が、互いに同一であることを特徴とする請求項１０に記載の複数波長光源装置。
【発明の詳細な説明】
【技術分野】
【０００１】
本発明は、例えば赤色、緑色及び青色の複数の光を射出する複数波長光源装置に関するものである。
【背景技術】
【０００２】
近年、コヒーレント光源は、画像表示装置や光通信分野、医療分野や顕微鏡などの計測分野においても欠かせないものとなっている。しかしながら、レーザ光源は、可干渉性を有するという欠点を持っている。そのため、レーザ光が投射される被投射面において干渉光がスペックルノイズとして現れ、高精細な画像を表示するためにスペックルノイズの対策が必要となる。
そこで、スペックルノイズを除去する方法としては、中心波長が設計上少しずつ異なる複数の発光素子をアレイ状に配置することが提案されている（例えば、特許文献１参照）。このようなレーザ光源では、中心波長を異ならせてスペクトル線幅を広くすることで、スペックルノイズの低減を図っている。
【特許文献１】特表２００４−５０３９２３号公報
【発明の開示】
【発明が解決しようとする課題】
【０００３】
しかしながら、上記従来のレーザ光源においても、スペックルノイズを低減させつつ、レーザ光源の特徴である広い色域を確保することが望まれている。
本発明は、上記従来の問題に鑑みてなされたもので、レーザ光源の特徴である広い色域を損ねずに複数のレーザ光同士のコヒーレンスを低減した複数波長光源装置を提供することを目的とする。
【課題を解決するための手段】
【０００４】
本発明は、前記課題を解決するために以下の構成を採用した。すなわち、本発明にかかる複数波長光源装置は、赤色光、緑色光及び青色光を射出する３つの光源装置を備える複数波長光源装置であって、前記光源装置が、複数の発光素子と、該複数の発光素子それぞれの射出光の波長を互いに異ならせる分散手段とを備え、前記光源装置における射出光のスペクトル線幅が、０．２ｎｍ以上であり、赤色光を射出する前記光源装置における射出光の波長が、６１２ｎｍより大きく、緑色光を射出する前記光源装置における射出光の波長が、５２５ｎｍより大きく５３８ｎｍ未満であり、青色光を射出する前記光源装置における射出光の波長が、４６５ｎｍより大きく４６８ｎｍ未満であることを特徴とする。
【０００５】
この発明では、スペクトル線幅を０．２ｎｍ以上にすることで、十分にスペックルノイズの低減効果が得られる。また、赤色光の波長を６１２ｎｍより大きくし、緑色光の波長を５２５ｎｍより大きく５３８ｎｍ未満とし、青色光の波長を４６５ｎｍより大きく４６８ｎｍ未満とすることで、十分に広い色域が得られる。すなわち、スペックルコントラストは、スペクトル線幅を大きくするにしたがって低下するが、スペクトル線幅を０．２ｎｍ以上にすることでスペックルコントラストが十分に低下する。そして、赤色光の波長を６１２ｎｍより大きく、緑色光の波長を５２５ｎｍより大きく５３８ｎｍ未満、青色光の波長を４６５ｎｍより大きく４６８ｎｍ未満とすることで、ｓＲＧＢ（standard RGB）やＮＴＳＣ（National Television Standards Committee）の色域を包含することができる。したがって、十分に広い色域が得られる。
【０００６】
また、本発明にかかる複数波長光源装置は、前記光源装置における射出光のスペクトル線幅が、０．５ｎｍ以上であることが好ましい。
この発明では、スペクトル線幅が０．５ｎｍ程度までの領域においてスペックルコントラストが急激に減少することから、スペクトル線幅を０．５ｎｍ以上にすることで、より確実にスペックルノイズの低減効果が得られる。
【０００７】
また、本発明にかかる複数波長光源装置は、前記光源装置における射出光のスペクトル線幅が、１．０ｎｍ以上であることが好ましい。
この発明では、スペクトル線幅をスペックルコントラストの特性が飽和状態となる１．０ｎｍ以上にすることで、さらに確実にスペックルノイズの低減効果が得られる。
【０００８】
また、本発明にかかる複数波長光源装置は、前記赤色光を射出する光源装置における射出光の波長が、６１２ｎｍより大きく６５８．５ｎｍ未満であることが好ましい。
この発明では、赤色光の波長を６５８．５ｎｍ未満とすることで、赤色光、緑色光及び青色光を射出するそれぞれの光源装置の間においてホワイトバランスが得られにくくなることを防止できる。
【０００９】
また、本発明にかかる複数波長光源装置は、前記分散手段が、前記複数の発光素子それぞれの射出光が入射する複数の光入射領域を有し、当該射出光のうち所定の選択波長の光の一部を選択して前記複数の発光素子に向けて反射させると共に残りを透過させる波長選択素子を備え、前記複数の光入射領域それぞれにおける前記選択波長が、互いに異なることとしてもよい。
この発明では、複数の光入射領域それぞれにおける選択波長を互いに異ならせることで、射出光のスペクトル線幅を広くする。すなわち、複数の発光素子それぞれの射出光のうち所定の選択波長のみが、波長選択素子において反射される。そして、波長選択素子で反射される光は、発光素子と波長選択素子との間で共振して増幅される。そのため、１つの発光素子から射出して波長選択素子を透過する光は、選択波長を中心とした狭帯域の光となる。このとき、複数の選択波長を互いに異ならせているため、複数の発光素子から射出して波長選択素子を透過する光は、それぞれ異なる選択波長を中心とした光となる。したがって、波長選択素子から射出する光のスペクトル線幅は、全体として広がる。
【００１０】
また、本発明にかかる複数波長光源装置は、前記分散手段が、前記複数の選択波長を互いに異ならせる状態変化手段を備えることとしてもよい。
この発明では、波長選択素子の例えば温度などの状態を変化させることによって各入射領域における選択波長を異ならせる。これにより、各光入射領域における選択波長を制御する。
【００１１】
また、本発明にかかる複数波長光源装置は、前記波長選択素子が、前記複数の光入射領域それぞれにおける膜厚が異なる波長選択膜を備えることとしてもよい。
この発明では、波長選択膜の膜厚を異ならせることで、複数の選択波長を互いに異ならせる。
【００１２】
また、本発明にかかる複数波長光源装置は、前記分散手段が、前記複数の発光素子それぞれの射出光が入射する複数の光入射領域を有し、当該射出光の一部の波長を所定の変換波長に変換して残りと共に射出する波長変換素子と、該波長変換素子から射出した光のうち前記変換波長の光の一部を選択して前記複数の発光素子に向けて反射させる共に残りを透過させる波長選択素子とを備え、前記複数の光入射領域それぞれにおける前記変換波長が、互いに異なることとしてもよい。
この発明では、複数の光入射領域それぞれにおける変換波長を互いに異ならせることで、射出光のスペクトル線幅を広くする。すなわち、複数の発光素子それぞれの射出光の一部は、波長変換素子において所定の変換波長に変換されて射出する。また、複数の発光素子それぞれの射出光の残りは、波長変換素子において所定の変換波長に変換されずに射出する。そして、波長変換素子から射出した光のうち所定の変換波長に変換されなかった光は、波長選択素子において反射される。さらに、波長選択素子で反射される光は、発光素子と波長選択素子との間で共振して波長変換素子により波長変換される。そのため、１つの発光素子から射出して波長選択素子を透過する光は、変換波長を中心とした狭帯域の光となる。このとき、複数の変換波長を互いに異ならせているため、複数の発光素子から射出して波長選択素子を透過する光は、それぞれ異なる変換波長を中心とした光となる。したがって、波長選択素子から射出する光のスペクトル線幅は、全体として広がる。
【００１３】
また、本発明にかかる複数波長光源装置は、前記波長変換素子が、前記複数の発光素子それぞれの射出光の光軸に沿って分極が互いに反転したドメインの繰り返し構造を有し、前記複数の光入射領域それぞれにおいて前記ドメインの前記光軸方向の幅が、互いに異なることとしてもよい。
この発明では、ドメインの幅を互いに異ならせることで、各光入射領域における変換波長を異ならせる。
【００１４】
また、本発明にかかる複数波長光源装置は、前記分散手段が、前記複数の変換波長を互いに異ならせる状態変化手段を備えることが好ましい。
この発明では、波長変換素子の例えば温度などの状態を変化させることによって各光入射領域におけるドメインの光軸方向における幅を異ならせる。これにより、各光入射領域における変換波長が制御される。
【００１５】
また、本発明にかかる複数波長光源装置は、前記波長変換素子が、前記複数の発光素子それぞれの射出光の光軸に沿って分極が互いに反転したドメインの繰り返し構造を有し、前記複数の光入射領域それぞれにおいて前記ドメインの前記光軸方向の幅が、互いに同一であることが好ましい。
この発明では、ドメインの幅が互いに同等となっているため、波長選択素子の製造が容易になる。
【発明を実施するための最良の形態】
【００１６】
以下、本発明における複数光源装置の一実施形態を、図面に基づいて説明する。なお、以下の説明に用いる各図面では、各部材を認識可能な大きさとするために縮尺を適宜変更している。ここで、図１は複数波長光源装置を構成する光源装置を示す概略構成図である。
【００１７】
〔複数波長光源〕
本実施形態における複数波長光源装置１は、赤色、緑色及び青色の各色光を射出する３つの光源装置１１〜１３を備えている。なお、以下の説明においては、各光源装置１１〜１３がほぼ同様の構成を有しているため、光源装置１１の構成についてのみ説明する。
【００１８】
赤色光を射出する光源装置１１は、図１に示すように、発光部２１と分散手段２２とを備えている。
発光部２１は、複数の発光素子２３ａ〜２３ｅと発光素子２３ａ〜２３ｅを支持する支持部材２４とを備えている。
発光素子２３ａ〜２３ｅは、例えば外部共振器型の面発光レーザ素子である（Vertical External Cavity Surface Emitting Laser：ＶＥＣＳＥＬ）で構成されている。そして、発光素子２３ａ〜２３ｅは、この順で一方向に沿って線状に配置されており、それぞれの光軸Ｏが互いに平行となるっている。ここで、発光素子２３ａ〜２３ｅそれぞれから射出する光の波長は、例えばλ０となっている。
【００１９】
分散手段２２は、波長選択素子２５と、圧電素子（状態変化手段）２６及び吸収体２７とを備えている。
波長選択素子２５は、例えば周期格子が形成されたホログラムで形成されており、発光素子２３ａ〜２３ｅの光軸上に配置されている。
また、波長選択素子２５は、波長選択素子２５に入射する光Ｗ１のうち所定の波長（選択波長）の光の一部Ｗ３を反射させると共に、残りの光Ｗ２を透過させることで、発光素子２３ａ〜２３ｅと共に共振器ミラーとして機能する。そして、波長選択素子２５は、発光素子２３ａ〜２３ｅとの間で光を反射させることによって波長選択素子２５により反射される選択波長の光を共振させる構成となっている。
このため、複数の発光素子２３ａ〜２３ｅと波長選択素子２５との間で共振している選択波長の光の強度は、他の波長の光と比較して著しく高くなる。したがって、波長選択素子２５から射出する光の波長は、ほぼ単一波長の光とみなすことができる。なお、波長選択素子２５は、選択波長の光のほとんど（９８％〜９９％程度）を反射し、所定の波長の光の一部（１％〜２％程度）を光Ｗ２として射出する。
【００２０】
そして、波長選択素子２５には、発光素子２３ａ〜２３ｅそれぞれから射出した光が入射する光入射領域２８Ａ〜２８Ｅが設けられている。すなわち、光入射領域２８Ａには発光素子２３ａから射出した光が入射し、光入射領域２８Ｂには発光素子２３ｂから射出した光が入射し、光入射領域２８Ｃには発光素子２３ｃから射出した光が入射し、光入射領域２８Ｄには発光素子２３ｄから射出した光が入射し、光入射領域２８Ｅには発光素子２３ｅから射出した光が入射する。
光入射領域２８Ａ〜２８Ｅは、対応する発光素子２３ａ〜２３ｅが一方向であって光軸Ｏに対する垂直方向に沿って線状に配置されていることから、これと同様に一方向に沿って配置されている。なお、光入射領域２８Ａ〜２８Ｅは、実際には選択波長や温度などが徐々に変化する連続した領域であるため、これらの間に物理的な境界は形成されていない。
【００２１】
圧電素子２６は、波長選択素子２５において一方向に沿う端面２５Ａ（光入射領域２８Ｅ側の端面）に設けられている。圧電素子２６は、例えば水晶、ＰｂＴｉＯ３（チタン酸鉛）、ＰｂＺｒＯ３（ジルコン酸鉛）、ＢａＴｉＯ３（チタン酸バリウム）などの圧電セラミックス及び圧電性結晶からなり、電圧の印加により変位する。
吸収体２７は、波長選択素子２５における他の端面２５Ｂ（光入射領域２８Ａ側の端面）に接着、固定されている。
【００２２】
したがって、波長選択素子２５は、端面２５Ａから圧電素子２６によって加圧されると、一方向に沿って歪む。このとき、波長選択素子２５における歪み量は、圧電素子２６が設けられている端面２５Ａが最も大きく、端面２５Ｂに向かうにしたがって小さくなる。ここで、波長選択素子２５を透過する光Ｗ２の波長は、圧縮圧力の付与によって周期構造の間隔が減少することから、圧縮圧力が大きくなるにしたがって短波長側に変化する。
【００２３】
このように、波長選択素子２５には、圧電素子２６によって一方向に沿って端面２５Ａ側が最も大きくなるような歪みが付与されている。したがって、波長選択素子２５において光入射領域２８Ａ〜２８Ｅそれぞれを透過する光Ｗ２の波長である選択波長をλ１〜λ５とすると、選択波長λ１〜λ５は、選択波長λ１が最も長く、選択波長λ２〜λ５の順で短くなる。すなわち、λ１＞λ２＞λ３＞λ４＞λ５となっている。
そして、波長選択素子２５からの射出光のスペクトル線幅は、選択波長λ１〜λ５を異ならせることによって１．０ｎｍ以上となっている。また、選択波長λ１〜λ５それぞれは、６１２ｎｍより大きく６５８．５ｎｍ未満となっている。
【００２４】
緑色光を射出する光源装置１２は、光源装置１１と同様の構成を有しており、射出光のスペクトル線幅が１．０ｎｍ以上となっている。また、射出光は、５２５ｎｍより大きく５３８ｎｍ未満となっている。
また、青色光を射出する光源装置１３は、光源装置１１と同様の構成を有しており、射出光のスペクトル線幅が１．０ｎｍ以上となっている。そして、射出光は、４４０ｎｍより大きく４６８ｎｍ未満となっている。
【００２５】
ここで、光源装置１１〜１３それぞれにおける射出光のスペクトル線幅とスペックルコントラストとの関係を、図２に示す。なお、図２に示すスペックルコントラストの特性曲線は、射出光の波長によらず、ほぼ同等となる。
図２に示すように、スペックルコントラストは、スペクトル線幅が０．５ｎｍ程度までの領域においてスペクトル線幅が大きくなるにしたがって急激に減少すると共に、スペクトル線幅が１ｎｍ程度を超える領域においてほぼ一定となっている。
そして、図２に示すように、スペクトル線幅が０ｎｍ以上０．１ｎｍ以下の範囲におけるスペックルコントラストの特性曲線の漸近線Ｌ１と、スペクトル線幅が２．０ｎｍ以上１０ｎｍ以下の範囲における特性曲線の漸近線Ｌ２との交点におけるスペクトル線幅は、０．２ｎｍとなっている。
したがって、光源装置１１〜１３それぞれにおける射出光のスペクトル線幅を０．２ｎｍ以上にすることで、スペックルコントラストが十分に低減し、１．０ｎｍ以上にすることで、スペックルコントラストがより確実に低減する。
【００２６】
次に、複数波長光源装置１の色度図とｓＲＧＢ及びＮＴＳＣそれぞれの色度図との関係を、図３から図５に示す。
光源装置１１〜１３それぞれから射出するレーザ光の波長を６１２ｎｍ、５２５ｎｍ、４６８ｎｍとしたときの色度図と、光源装置１１〜１３それぞれから射出するレーザ光の波長を７００ｎｍ、５２５ｎｍ、４６８ｎｍとしたときの色度図とを、図３に示す。
また、光源装置１１〜１３それぞれから射出するレーザ光の波長を７００ｎｍ、５３８ｎｍ、４４０ｎｍとしたときの色度図と、光源装置１１〜１３それぞれから射出するレーザ光の波長を７００ｎｍ、５２５ｎｍ、４４０ｎｍとしたときの色度図とを、図４に示す。
【００２７】
そして、光源装置１１〜１３それぞれから射出するレーザ光の波長を６１２ｎｍ、５３８ｎｍ、４４０ｎｍとしたときの色度図と、光源装置１１〜１３それぞれから射出するレーザ光の波長を６１２ｎｍ、５３８ｎｍ、４６８ｎｍとしたときの色度図とを、図５に示す。
図３から図５に示すように、光源装置１１の射出光の波長を６１２ｎｍより大きくし、光源装置１２から射出される光の波長を５２５ｎｍより大きく５３８ｎｍ未満とし、光源装置１３から射出される光の波長を４６５ｎｍより大きく４６８ｎｍ未満とすることで、複数波長光源装置１の色度図がｓＲＧＢ及びＮＴＳＣそれぞれの色度図を含んで十分な色域が確保される。
【００２８】
次に、光源装置１１の射出光の波長と強度との関係を、図６に示す。ここでは、射出光の波長と光源装置１２、１３との間でホワイトバランスを保つために必要な光強度との関係を示している。なお、射出光の波長を６２０ｎｍとしたときに光源装置１２、１３との間でホワイトバランスを保つために必要な光強度を１としている。
図６に示すように、光源装置１１の光強度は、射出光の波長が長くなるにしたがって必要な光強度が増大する。そして、光源装置１１の射出光の波長が６５８．５ｎｍを超えると、相対的な光強度が４を超える。すなわち、光源装置１１の射出光の波長を６５８．５ｎｍより大きくすると、光源装置１２、１３との間でホワイトバランスを保つため、複数波長光源装置１は、射出光の波長を６２０ｎｍとする場合と比較して４倍を超える光強度が必要となる。そこで、光源装置１１の射出光の波長を６５８．５ｎｍ未満とすることで、光源装置１２、１３との間でホワイトバランスを保持することが困難となることを防止する。
【００２９】
以上のように、本実施形態における複数波長光源装置１によれば、スペクトル線幅を０．２ｎｍ以上にすることでスペックルノイズが十分に低下する。また、光源装置１１の射出光の波長を６１２ｎｍより大きく６５８．５ｎｍ未満とし、光源装置１２の射出光の波長を５２５ｎｍより大きく５３８ｎｍ未満とし、光源装置の射出光の波長を４６５ｎｍより大きく４６８ｎｍ未満とすることで、ｓＲＧＢやＮＴＳＣの色域を包含した十分に広い色域が得られる。
ここで、光源装置１１の射出光の波長を６５８．５ｎｍ未満とすることで、複数波長光源装置１のホワイトバランスを保つための構成が煩雑化することを防止できる。
【００３０】
［光源装置の変形例１］
続いて、本発明を適用可能な他の光源装置の構成について、図面に基づいて説明する。なお、本変形例では、上述した一実施形態と分散手段の構成が異なるため、この点を中心に説明すると共に、上記実施形態で説明した構成要素には同一符号を付し、その説明を省略する。ここで、図７は、光源装置を示す概略構成図である。
【００３１】
本変形例における光源装置３０は、図７に示すように、分散手段３１が波長選択素子２５の両端面２５Ａ、２５Ｂそれぞれに設けられたペルチェ素子（状態変化手段）３２、３３を備えている。
ペルチェ素子３２、３３には、互いに異なる温度が設定されている。したがって、波長選択素子２５は、端面２５Ａ、２５Ｂそれぞれから他方の端面２５Ｂ、２５Ａに向けて加熱または冷却される。そして、波長選択素子２５には、加熱による膨張や冷却による収縮が発生することによって屈折率分布が形成されている。なお、波長選択素子２５を透過する光の波長は、熱膨張によって周期構造の間隔が増大することから、温度が高くなるにしたがって長波長側に変化する。
このとき、波長選択素子２５における温度は、光入射領域２８Ａが最も高く、光入射領域２８Ｂ〜２８Ｅの順で低くなる。これにより、波長選択素子２５には、屈折率分布が形成される。そして、選択波長λ１〜λ５は、この順で短くなっている。
【００３２】
このような構成の光源装置３０においても、上述と同様の作用、効果を奏する。なお、ペルチェ素子３２、３３は、両端面２５Ａ、２５Ｂの少なくとも一方に設けられていればよい。また、波長選択素子２５において温度分布を形成することができれば、ペルチェ素子３２、３３に限らず、電熱線など他の加熱手段を用いてもよい。
【００３３】
［光源装置の変形例２］
続いて、本発明を適用可能な他の光源装置の構成について、図面に基づいて説明する。なお、本変形例では、上述した一実施形態と分散手段の構成が異なるため、この点を中心に説明すると共に、上記実施形態で説明した構成要素には同一符号を付し、その説明を省略する。ここで、図８は、光源装置を示す概略構成図である。
【００３４】
本変形例における光源装置４０は、図８に示すように、波長選択素子（分散手段）４１を備えている。
波長選択素子４１は、例えばガラスなどの透光性材料からなる基板４２と、この基板４２上に積層された波長選択膜４３とを備えている。
波長選択膜４３は、基板４２側から順に第１から第３選択膜４３ａ〜４３ｃを積層した構成となっている。第１及び第３選択膜４３ａ、４３ｃそれぞれは例えばＳｉＯ２で形成されており、第２選択膜４３ｂは例えばＴｉＯ２で形成されている。また、第１から第３選択膜４３ａ〜４３ｃそれぞれは、例えば斜方蒸着法を用いて形成されることにより、膜厚が発光素子２３ａ〜２３ｅの配列方向である一方向における一方の端面４３Ｄから他方の端面４３Ｅに向かうにしたがって小さくなっている。なお、波長選択素子４１を透過する光の波長は、波長選択膜４３の膜厚が厚くなるにしたがって長波長側に変化する。
このとき、波長選択膜４３の膜厚は、光入射領域４４Ａが最も厚く、光入射領域４４Ｂ〜４４Ｅに向かうにしたがって薄くなる。これにより、選択波長λ１〜λ５は、この順で短くなっている。
【００３５】
このような構成の光源装置４０においても、上述と同様の作用、効果を奏する。なお、選択膜の積層数や形成材料は、選択波長に応じて適宜変更してもよい。
【００３６】
［光源装置の変形例３］
続いて、本発明を適用可能な他の光源装置の構成について、図面に基づいて説明する。なお、本変形例では、上述した第１の実施形態と分散手段の構成が異なるため、この点を中心に説明すると共に、上記実施形態で説明した構成要素には同一符号を付し、その説明を省略する。ここで、図９は、光源装置を示す概略構成図である。
【００３７】
本変形例における光源装置５０は、図９に示すように、分散手段５１が波長選択素子２５における光入射領域２８Ａ〜２８Ｅそれぞれに間隔をあけて設けられた複数の圧電素子５２ａ〜５２ｅを備えている。ここで、波長選択素子２５は、光入射領域２８Ａ〜２８Ｅそれぞれの境界に防振材を配置することにより、光入射領域２８Ａ〜２８Ｅで発生している歪みを隣接する他の光入射領域２８Ａ〜２８Ｅに伝達させない構成としてもよい。
圧電素子５２ａ〜５２ｅそれぞれは、光入射領域２８Ａ〜２８Ｅそれぞれに対して異なる大きさの歪みを付与している。光入射領域２８Ａ〜２８Ｅに付与される歪み量は、例えば光入射領域２８Ｂ、２８Ｃ、２８Ｅ、２８Ｄ、２８Ａの順で大きくなっている。したがって、選択波長λ１〜λ５は、λ１、λ４、λ５、λ３、λ２の順で短くなる。すなわち、λ１＞λ４＞λ５＞λ３＞λ２となっている。
【００３８】
このような構成の光源装置５０においても、上述と同様の作用、効果を奏するが、光入射領域２８Ａ〜２８Ｅそれぞれにおいて選択波長λ１〜λ５を断続的（ランダム）に設定することができるため、選択波長λ１〜λ５の設定自由度が向上する。そして、隣接する２つの光入射領域２８Ａ〜２８Ｅにおいて選択波長λ１〜λ５を大きくずらすことができるため、より効率よくスペックルノイズを低減できる。
なお、本変形例では光入射領域２８Ａ〜２８Ｅそれぞれに圧電素子５２ａ〜５２ｅを設けているが、上述した変形例１、２においてこれと同様の構成を適用してもよい。すなわち、上述した変形例１においては、光入射領域２８Ａ〜２８Ｅそれぞれにペルチェ素子を設けることで各光入射領域２８Ａ〜２８Ｅを独立して温度制御できるようにしてもよい。また、上述した変形例２においては、波長選択膜の膜厚を光入射領域４４Ａ〜４４Ｅで断続的（ランダム）に変化させてもよい。
【００３９】
［光源装置の変形例４］
続いて、本発明を適用可能な他の光源装置の構成を、図面に基づいて説明する。なお、本実施形態では、上述した一実施形態と分散手段の構成が異なるため、この点を中心に説明すると共に、上記実施形態で説明した構成要素には同一符号を付し、その説明を省略する。ここで、図１０は、光源装置を示す概略構成図である。
【００４０】
本変形例における光源装置６０は、図１０に示すように、分散手段６１が熱発生用レーザ光源６２、ミラー６３及び吸収膜６４ａ〜６４ｅを有する加熱手段（状態変化手段）６５を備えている。ここで、波長選択素子２５は、光入射領域２８Ａ〜２８Ｅそれぞれの境界に断熱材を配置することにより、光入射領域２８Ａ〜２８Ｅで発生している熱を隣接する他の光入射領域２８Ａ〜２８Ｅに伝達させない構成としてもよい。
熱発生用レーザ光源６２は、ミラー６３を介して吸収膜６４ａ〜６４ｅそれぞれにレーザ光を照射する構成となっている。
ミラー６３は、その反射面の傾きが変更可能となっており、熱発生用レーザ光源６２から射出するレーザ光を吸収膜６４ａ〜６４ｅに向けて走査する構成となっている。
吸収膜６４ａ〜６４ｅは、波長選択素子２５における光入射領域２８Ａ〜２８Ｅそれぞれに間隔をあけて貼付されており、照射されたレーザ光を吸収することによって光入射領域２８Ａ〜２８Ｅそれぞれを加熱する。
加熱手段６５は、吸収膜６４ａ〜６４ｅの材質や膜厚、レーザ光を照射する時間などを適宜設定することによって光入射領域２８Ａ〜２８Ｅそれぞれを異なる温度で加熱する。光入射領域２８Ａ〜２８Ｅにおける加熱温度は、例えば光入射領域２８Ｂ、２８Ｃ、２８Ｅ、２８Ｄ、２８Ａの順で小さくなっている。したがって、選択波長λ１〜λ５は、λ１、λ４、λ５、λ３、λ２の順で短くなる。すなわち、λ１＞λ４＞λ５＞λ３＞λ２となっている。
【００４１】
このような構成の光源装置６０においても、上述と同様の作用、効果を奏する。
【００４２】
［光源装置の変形例５］
続いて、本発明を適用可能な他の光源装置の構成を、図面に基づいて説明する。なお、本実施形態では、上述した一実施形態と分散手段の構成が異なるため、この点を中心に説明すると共に、上記実施形態で説明した構成要素には同一符号を付し、その説明を省略する。ここで、図１１は、光源装置を示す概略構成図である。
【００４３】
本変形例における光源装置７０は、図１１に示すように、発光部７１と分散手段７２とを備えている。
発光部７１は、発光素子７３ａ〜７３ｅと、支持部材２４とを備えている。発光素子７３ａ〜７３ｅは、例えばＶＥＣＳＥＬで構成されており、波長が例えばλ０のレーザ光を射出する。
【００４４】
分散手段７２は、波長変換素子７４と波長選択素子７５と、圧電素子７６及び吸収体７７とを備えている。
波長変換素子７４は、発光素子７３ａ〜７３ｅそれぞれから射出したレーザ光の波長を第２高調波であるほぼ半分の波長の光に変換する非線形光学素子である。そして、波長変換素子７４は、例えば非線形結晶であるＫＮｂＯ３（ニオブ酸カリウム）からなり、板状に形成されている。ここで、波長変換素子７４による波長変換効率は、波長変換素子７４への入射光の強度が高いほど増大し、４０％〜５０％程度となっている。
【００４５】
また、波長変換素子７４には、発光素子７３ａ〜７３ｅそれぞれから射出した光が入射する光入射領域７８Ａ〜７８Ｅが設けられている。すなわち、光入射領域７８Ａには発光素子７３ａから射出した光が入射し、光入射領域７８Ｂには発光素子７３ｂから射出した光が入射し、光入射領域７８Ｃには発光素子７３ｃから射出した光が入射し、光入射領域７８Ｄには発光素子７３ｄから射出した光が入射し、光入射領域７８Ｅには発光素子７３ｅから射出した光が入射する。
光入射領域７８Ａ〜７８Ｅは、対応する発光素子７３ａ〜７３ｅが一方向であって光軸Ｏに対する垂直方向に沿って線状に配置されていることから、これと同様に一方向に沿って配置されている。
【００４６】
そして、波長変換素子７４には、分極が互いに反転したドメインの繰り返し構造である分極周期構造が形成されている。この分極周期構造内を光が透過することにより、入射光の波長が変換される。光入射領域７８Ａ〜７８Ｅそれぞれにおける分極周期構造の光軸Ｏ方向の幅であるピッチは、Λ１〜Λ５となっている。ここで、ピッチΛ１〜Λ５は、Λ１が最も広く、Λ２〜Λ５の順で狭くなる。すなわち、Λ１＞Λ２＞Λ３＞Λ４＞Λ５となっている。したがって、波長変換素子７４において光入射領域７８Ａ〜７８Ｅそれぞれから射出される光の波長である変換波長をλ’１〜λ’５とすると、変換波長λ’１〜λ’５は、波長λ’１が最も長く、変換波長λ’２〜λ’５の順で短くなる。すなわち、λ’１＞λ’２＞λ’３＞λ’４＞λ’５となっている。
【００４７】
波長選択素子７５は、波長変換素子７４によって変換波長λ’１〜λ’５に変換された光を透過させると共に、変換されなかった光を反射させることで、発光素子７３ａ〜７３ｅと共に共振器ミラーとして機能する。
そして、波長選択素子７５には、圧電素子７６によって一方向に沿って端面２５Ａ側が最も大きくなるような歪みが付与されている。したがって、波長選択素子７５において光入射領域７９Ａ〜７９Ｅそれぞれから射出される光の波長をλ１〜λ５とすると、波長λ１〜λ５は、波長λ１が最も長く、波長λ２〜λ５の順で短くなる。すなわち、λ１＞λ２＞λ３＞λ４＞λ５となっている。
【００４８】
このような構成の光源装置７０においても、上述と同様の作用、効果を奏する。
なお、本変形例においても、波長変換素子７４を構成する光入射領域７８Ａ〜７８ＥそれぞれにおけるピッチΛ１〜Λ５は、Λ１〜Λ５の順で狭くなっているが、断続的（ランダム）としてもよい。このとき、波長選択素子７５を構成する光入射領域７９Ａ〜７９Ｅそれぞれにおける選択波長λ１〜λ５それぞれは、波長変換素子７４で変換される変換波長λ’１〜λ’５に合わせて設定される。
【００４９】
［光源装置の変形例６］
続いて、本発明を適用可能な他の光源装置の構成を、図面に基づいて説明する。なお、本変形例では、上述した変形例５と分散手段の構成が異なるため、この点を中心に説明すると共に、上記実施形態で説明した構成要素には同一符号を付し、その説明を省略する。ここで、図１２は、光源装置を示す概略構成図である。
【００５０】
本変形例における光源装置８０では、図１２に示すように、分散手段８１が波長変換素子８２とペルチェ素子（状態変化手段）８３及び温度センサ８４ａ〜８４ｅとを備えている。
波長変換素子８２に形成されている分極周期構造のピッチΛ１〜Λ５それぞれは、ペルチェ素子８３によって制御しない状態においてほぼ同等となっている。
ペルチェ素子８３は、波長変換素子８２の一端面８２Ａに設けられており、光入射領域８５Ａ〜８５Ｅそれぞれを異なる温度で加熱または冷却する。また、ペルチェ素子８３は、温度センサ８４ａ〜８４ｅそれぞれの検出結果に基づいて制御されている。温度センサ８４ａ〜８４ｅそれぞれは、光入射領域８５Ａ〜８５Ｅそれぞれにおける入射端面（複数の発光素子７３ａ〜７３ｅ側の端面）に設けられており、各光入射領域８５Ａ〜８５Ｅの温度を検出する。
【００５１】
したがって、波長変換素子８２には、端面８２Ａからペルチェ素子８３によって加熱または冷却されると、一方向に沿う温度勾配が形成される。このとき、波長変換素子８２の温度は、端面８２Ａが最も大きく、一方向に沿って端面８２Ａから離間するにしたがって低下していく。そして、波長変換素子８２には、温度勾配に基づいた屈折率勾配が形成される。
このように、波長変換素子８２に温度勾配及び屈折率勾配が生じることにより、ピッチΛ１〜Λ５それぞれが変化する。変化したピッチΛ１〜Λ５は、Λ１が最も広く、Λ２〜Λ５の順で狭くなる。
したがって、波長変換素子８２において光入射領域８５Ａ〜８５Ｅそれぞれの変換波長λ’１〜λ’５は、波長λ’１が最も長く、変換波長λ’２〜λ’５の順で短くなる。
【００５２】
以上のような構成の光源装置８０においても、上述と同様の作用、効果を奏するが、ペルチェ素子８３による温度制御を行わない状態においてピッチΛ１〜Λ５がほぼ同等となっているため、波長変換素子８２の製造が容易になる。なお、ペルチェ素子８３によって波長変換素子８２の各光入射領域８５Ａ〜８５Ｅの温度を制御できれば、温度センサ８４ａ〜８４ｅを設けなくてもよい。
【００５３】
［光源装置の変形例７］
続いて、本発明を適用可能な他の光源装置の構成を、図面に基づいて説明する。なお、本変形例では、上述した変形例６と分散手段の構成が異なるため、この点を中心に説明すると共に、上記実施形態で説明した構成要素には同一符号を付し、その説明を省略する。ここで、図１３は、光源装置を示す概略構成図である。
【００５４】
本変形例における光源装置９０では、図１３に示すように、分散手段９１が複数のペルチェ素子９２ａ〜９２ｅと、複数の圧電素子９３ａ〜９２ｅとを備えている。
複数のペルチェ素子９２ａ〜９２ｅは、波長変換素子８２における光入射領域８５Ａ〜８５Ｅそれぞれに間隔をあけて設けられている。ここで、波長変換素子８２は、光入射領域８５Ａ〜８５Ｅそれぞれの境界に断熱材を配置することにより、光入射領域８５Ａ〜８５Ｅで発生している熱を隣接する他の光入射領域８５Ａ〜８５Ｅに伝達させない構成としてもよい。
ペルチェ素子９２ａ〜９２ｅそれぞれは、光入射領域８５Ａ〜８５Ｅそれぞれに対して異なる温度で加熱または冷却している。光入射領域８５Ａ〜８５Ｅの温度は、例えば光入射領域８５Ｂ、８５Ｃ、８５Ｅ、８５Ｄ、８５Ａの順で低くなっている。したがって、変換波長λ’１〜λ’５は、λ’１、λ’４、λ’５、λ’３、λ’２の順で短くなる。すなわち、λ’１＞λ’４＞λ’５＞λ’３＞λ’２となっている。
【００５５】
複数の圧電素子９３ａ〜９３ｅは、波長選択素子７５における光入射領域７９Ａ〜７９Ｅそれぞれに間隔をあけて設けられている。ここで、波長選択素子７５は、光入射領域７９Ａ〜７９Ｅそれぞれの境界に防振材を配置することにより、光入射領域７９Ａ〜７９Ｅで発生している歪みを隣接する他の光入射領域７９Ａ〜７９Ｅに伝達させない構成としてもよい。
【００５６】
このような構成の光源装置９０においても、上述と同様の作用、効果を奏するが、光入射領域８５Ａ〜８５Ｅそれぞれにおいて変換波長λ’１〜λ’５を断続的（ランダム）に設定することができるため、変換波長λ’１〜λ’５の設定自由度が向上する。そして、隣接する２つの光入射領域８５Ａ〜８５Ｅにおいて変換波長λ’１〜λ’５を大きくずらすことができるため、より効率よくスペックルノイズを低減できる。
なお、本変形例では光入射領域８５Ａ〜８５Ｅそれぞれにペルチェ素子９２ａ〜９２ｅを設けることで光入射領域８５Ａ〜８５Ｅの温度を別個独立して設定可能としているが、電熱線や加熱用レーザ光の照射など、他の方法により温度を設定可能としてもよい。
【００５７】
〔プロジェクタ〕
以上のような構成の複数波長光源装置１は、図１４に示すようなプロジェクタ（画像表示装置）１００に用いられる。ここで、図１４は、プロジェクタを示す概略構成図である。
プロジェクタ１００は、図１４に示すように、複数波長光源装置１と、複数波長光源装置１を構成する赤色、緑色及び青色光源装置（光源装置）１０１Ａ〜１０１Ｃの射出光それぞれを変調するライトバルブ１０２Ａ〜１０２Ｃと、ダイクロイックプリズム１０３と、投射光学系１０４とを備えている。そして、プロジェクタ１００から射出したカラー画像光は、スクリーン１０５上に投射される。
【００５８】
赤色、緑色及び青色光源装置１０１Ａ〜１０１Ｃとしては、上述した光源装置１１〜１３、３０、４０、５０、６０、７０、８０、９０のいずれかが用いられる。なお、赤色、緑色及び青色光源装置１０１Ａ〜１０１Ｃそれぞれが同一の構成である必要はなく、いずれの光源装置１１〜１３、３０、４０、５０、６０、７０、８０、９０を組み合わせてもよい。
各ライトバルブ１０２Ａ〜１０２Ｃは、例えば液晶装置で構成されており、赤色、緑色及び青色光源装置１０１Ａ〜１０１Ｃそれぞれから射出したレーザ光を供給される画像信号に基づいて変調する構成となっている。
また、赤色、緑色及び青色光源装置１０１Ａ〜１０１Ｃそれぞれとライトバルブ１０２Ａ〜１０２Ｃそれぞれとの間の光路上には、赤色、緑色及び青色光源装置１０１Ａ〜１０１Ｃそれぞれの射出光を対応するライトバルブ１０２Ａ〜１０２Ｃに対して均一に照射させるための均一化光学系１０６Ａ〜１０６Ｃが配置されている。この均一化光学系１０６Ａ〜１０６Ｃそれぞれは、例えばホログラム１０７とフィールドレンズ１０８とを備えている。
【００５９】
ダイクロイックプリズム１０３は、４つの直角プリズムを貼り合わせることによって構成されており、その界面には赤色光を反射する誘電体多層膜と青色光を反射する誘電体多層膜とがＸ字状に形成されている。これら誘電体多層膜により３つの色の光が合成されて、カラー画像を表す光が形成される。
投射光学系１０４は、ダイクロイックプリズム１０３によって合成されたカラー画像を拡大してスクリーン１０５上に投射する構成となっている。
ここで、青色光源装置１０１Ｃの射出光の波長を４４０ｎｍより大きくしているため、ライトバルブ１０２Ｃの耐久性が維持される。
【００６０】
〔走査型画像表示装置〕
また、複数波長光源装置１は、図１５に示すような走査型画像表示装置（画像表示装置）１１０に用いられる。ここで、図１５は、走査型画像表示装置を示す概略構成図である。
この走査型画像表示装置１１０は、図１５に示すように、赤色、緑色及び青色光源装置１１１Ａ〜１１１Ｃと、ダイクロイックプリズム１１２と、赤色、緑色及び青色光源装置１１１Ａ〜１１１Ｃそれぞれから射出した光をスクリーン１１３に向けて走査するＭＥＭＳ（Micro Electro Mechanical Systems）ミラー１１４とを備えている。
【００６１】
赤色、緑色及び青色光源装置１１１Ａ〜１１１Ｃとしては、上述した光源装置１１〜１３、３０、４０、５０、６０、７０、８０、９０のいずれかが用いられる。なお、赤色、緑色及び青色光源装置１１１Ａ〜１１１Ｃそれぞれが同一の構成である必要はなく、いずれの光源装置１１〜１３、３０、４０、５０、６０、７０、８０、９０を組み合わせてもよい。
この画像表示装置１１０では、赤色、緑色及び青色光源装置１１１Ａ〜１１１Ｃそれぞれの射出光がＭＥＭＳミラー１１４の駆動によりスクリーン１１３の横方向及び縦方向に走査するように導かれることで、スクリーン１１３に画像を表示する。
【００６２】
〔モニタ装置〕
そして、複数波長光源装置１は、例えば図１６に示すようなモニタ装置１２０の光源装置としても用いられる。ここで、図１６は、モニタ装置を示す概略構成図である。
このモニタ装置１２０は、図１６に示すように、本体部１２１と、本体部１２１に接続された光伝送部１２２とを備えている。
本体部１２１には、赤色、緑色及び青色光源装置１２３Ａ〜１２３Ｃと、撮像素子１２４とが設けられている。
赤色、緑色及び青色光源装置１２３Ａ〜１２３Ｃとしては、上述した光源装置１１〜１３、３０、４０、５０、６０、７０、８０、９０のいずれかが用いられる。なお、赤色、緑色及び青色光源装置１２３Ａ〜１２３Ｃそれぞれが同一の構成である必要はなく、いずれの光源装置１１〜１３、３０、４０、５０、６０、７０、８０、９０を組み合わせてもよい。
【００６３】
また、光伝送部１２２は、基端が本体部１２１に接続されており、赤色、緑色及び青色光源装置１２３Ａ〜１２３Ｃから射出する光を先端まで導光するライトガイド１２５と、先端から撮像素子１２４まで取得した画像を導光するライトガイド１２６とを備えている。これらライトガイド１２５、１２６は、それぞれ光ファイバ束で構成されている。また、光伝送部１２２は、先端に設けられて赤色、緑色及び青色光源装置１２３Ａ〜１２３Ｃそれぞれからの光を先端から拡散した状態で射出させる拡散板１２７と、拡散板１２７から射出した光の反射光が入射する結像レンズ１２８とを備えている。
【００６４】
〔照明装置〕
さらに、複数波長光源装置１は、例えば図１７に示すような照明装置１３０の光源装置としても用いられる。ここで、図１７は、照明装置を示す概略構成図である。
この照明装置１３０は、図１７に示すように、赤色、緑色及び青色光源装置１３１Ａ〜１３１Ｃと、赤色、緑色及び青色光源装置１３１Ａ〜１３１Ｃから射出した光を拡散させる拡散部材１３２とを備えている。
赤色、緑色及び青色光源装置１３１Ａ〜１３１Ｃとしては、上述した光源装置１１〜１３、３０、４０、５０、６０、７０、８０、９０のいずれかが用いられる。なお、赤色、緑色及び青色光源装置１３１Ａ〜１３１Ｃそれぞれが同一の構成である必要はなく、いずれの光源装置１１〜１３、３０、４０、５０、６０、７０、８０、９０を組み合わせてもよい。
【００６５】
なお、本発明は上記実施形態に限定されるものではなく、本発明の趣旨を逸脱しない範囲において種々の変更を加えることが可能である。
例えば、赤色光の波長は、６５８．５ｎｍ以上であってもよい。
また、射出光のスペクトル線幅は、０．２ｎｍ以上であれば、他の値であってもよい。
そして、複数の発光素子それぞれの射出光の波長は、λ０となっているが、それぞれ異なっていてもよい。
さらに、複数の発光素子は、線状に配置されているが、例えば面状など、他の配置であってもよい。
また、発光素子としては、端面発光レーザや面発光レーザを用いてもよい。
【００６６】
また、状態変化手段は、波長選択素子や波長変換素子を加熱、冷却したり歪みを付与したりすることによって選択波長や変換波長を制御しているが、波長選択素子や波長変換素子の他の物理的な状態を変化させることによって選択波長や変換波長を制御する構成としてもよい。
そして、分散手段は、発光素子自体の温度を例えばペルチェ素子などで制御することで、各発光素子の射出光の波長が上述した関係を満たすような構成としてもよい。
【図面の簡単な説明】
【００６７】
【図１】複数波長光源装置を構成する光源装置を示す概略構成図である。
【図２】スペクトル線幅とスペックルコントラストとの関係を示すグラフである。
【図３】複数波長光源装置、ｓＲＧＢ及びＮＴＳＣそれぞれの色域を示す図である。
【図４】複数波長光源装置、ｓＲＧＢ及びＮＴＳＣそれぞれの色域を示す図である。
【図５】複数波長光源装置、ｓＲＧＢ及びＮＴＳＣそれぞれの色域を示す図である。
【図６】赤色光源装置における出力光の波長と光強度との関係を示すグラフである。
【図７】本発明を適用可能な他の各色光源装置を示す概略構成図である。
【図８】同じく、本発明を適用可能な他の光源装置を示す概略構成図である。
【図９】同じく、本発明を適用可能な他の光源装置を示す概略構成図である。
【図１０】同じく、本発明を適用可能な他の光源装置を示す概略構成図である。
【図１１】同じく、本発明を適用可能な他の光源装置を示す概略構成図である。
【図１２】同じく、本発明を適用可能な他の光源装置を示す概略構成図である。
【図１３】同じく、本発明を適用可能な他の光源装置を示す概略構成図である。
【図１４】複数波長光源装置を備えるプロジェクタを示す概略構成図である。
【図１５】複数波長光源装置を備える走査型画像表示装置を示す概略構成図である。
【図１６】複数波長光源装置を備えるモニタ装置を示す概略構成図である。
【図１７】複数波長光源装置を備える照明装置を示す概略構成図である。
【符号の説明】
【００６８】
１  複数波長光源装置、
１１〜１３，３０，４０，５０，６０，７０，８０，９０  光源装置、２２，３１，５１，６１，７２，８１，９１  分散手段、２３ａ〜２３ｅ，７３ａ〜７３ｅ  発光素子、２５，７５  波長選択素子、２６，５２ａ〜５２ｅ  圧電素子（状態変化手段）、２８Ａ〜２８Ｅ，４４Ａ〜４４Ｅ，７８Ａ〜７８Ｅ，８５Ａ〜８５Ｅ  光入射領域、３２，３３，８３  ペルチェ素子（状態変化手段）、４１  波長選択素子（分散手段）、４３  波長選択膜、６５  加熱手段（状態変化手段）、７４，８２  波長変換素子、Ｏ  光軸、Ｗ１〜Ｗ３  光、λ１〜λ５  選択波長、λ’１〜λ’５  変換波長、Λ１〜Λ５  ピッチ
【図１】
2009122252.tif 000003
【図２】
2009122252.tif 000004
【図３】
2009122252.tif 000005
【図４】
2009122252.tif 000006
【図５】
2009122252.tif 000007
【図６】
2009122252.tif 000008
【図７】
2009122252.tif 000009
【図８】
2009122252.tif 000010
【図９】
2009122252.tif 000011
【図１０】
2009122252.tif 000012
【図１１】
2009122252.tif 000013
【図１２】
2009122252.tif 000014
【図１３】
2009122252.tif 000015
【図１４】
2009122252.tif 000016
【図１５】
2009122252.tif 000017
【図１６】
2009122252.tif 000018
【図１７】
2009122252.tif 000019